(57)【要約】      （修正有）【課題】開発期間を延長する必要がなくなり、コストアップにつながることがないスイッチギヤを提供する。【解決手段】母線区分用スイッチギヤ１は、複数の受配電用スイッチギヤが母線４を介して連結され、前記母線の電気的な連結を切り離すために設置され、前記母線区分用スイッチギは、ブッシング３ａを複数有すると共に、遮断器、断路器、接地開閉器及びそれらを連結する導体を備えてモールドされ、かつ、外形が同一形状を成す複数の第１のモールドスイッチ２Ａと、該第１のモールドスイッチと隣接配置され、ブッシングを複数有すると共に、接地開閉器と導体を備えてモールドされ、かつ、外形が同一形状を成す複数の第２のモールドスイッチ２Ｂと、前記第１のモールドスイッチのブッシングと該第１のモールドスイッチのブッシングとは配置位置が異なる前記第２のモールドスイッチのブッシングを連結する母線と、を備える。【選択図】図１
2017192188.tif 000002
【特許請求の範囲】
【請求項１】
複数の受配電用スイッチギヤが母線を介して連結され、前記母線の電気的な連結を切り離すために設置されている母線区分用スイッチギヤであって、
前記母線区分用スイッチギヤは、ブッシングを複数有すると共に、遮断器、断路器、接地開閉器及びそれらを連結する導体を備えてモールドされ、かつ、外形が同一形状を成す複数の第１のモールドスイッチと、該第１のモールドスイッチと隣接配置され、ブッシングを複数有すると共に、接地開閉器と導体を備えてモールドされ、かつ、外形が同一形状を成す複数の第２のモールドスイッチと、前記第１のモールドスイッチのブッシングと該第１のモールドスイッチのブッシングとは配置位置が異なる前記第２のモールドスイッチのブッシングを連結する母線と、を備えていることを特徴とする母線区分用スイッチギヤ。
【請求項２】
請求項１に記載の母線区分用スイッチギヤにおいて、
前記第１及び第２のモールドスイッチは、その長手方向が列盤方向となるように配置されていることを特徴とする母線区分用スイッチギヤ。
【請求項３】
請求項１又は２に記載の母線区分用スイッチギヤにおいて、
前記第１及び第２のモールドスイッチは、それぞれ列盤方向に隣り合うように配置されていると共に、前記第１及び第２のモールドスイッチの対は、列盤方向と垂直な方向となるように配置されていることを特徴とする母線区分用スイッチギヤ。
【請求項４】
請求項１乃至３のいずれか１項に記載の母線区分用スイッチギヤにおいて、
前記第１及び第２のモールドスイッチのブッシングは、同一方向に設置されていることを特徴とする母線区分用スイッチギヤ。
【請求項５】
母線を介して連結されている複数の受配電用スイッチギヤの途中に、前記母線の電気的な連結を切り離す母線区分用スイッチギヤが設置されている列盤構成のスイッチギヤであって、
前記母線区分用スイッチギヤは、請求項１乃至４のいずれか１項に記載の母線区分用スイッチギヤであることを特徴とするスイッチギヤ。
【請求項６】
請求項５に記載のスイッチギヤにおいて、
前記受配電用スイッチギヤは、前記母線区分用スイッチギヤのモールドスイッチと外形が同一形状を成す３つの受配電用スイッチギヤ用モールドスイッチから成ると共に、該各受配電用スイッチギヤ用モールドスイッチは、その長手方向が列盤方向と垂直な方向であり、かつ、前記受配電用スイッチギヤ用モールドスイッチが列盤方向に配置され、前記受配電用スイッチギヤ用モールドスイッチには、それぞれ２つのブッシングを備えていることを特徴とするスイッチギヤ。
【請求項７】
請求項６に記載のスイッチギヤにおいて、
前記受配電用スイッチギヤ用モールドスイッチにおける２つのブッシングのうちの一方のブッシングは、前記母線区分用スイッチギヤのモールドスイッチと同一の方向に配置され、前記受配電用スイッチギヤ用モールドスイッチにおける２つのブッシングのうちの他方のブッシングは、一方のブッシングと異なる方向に配置されていることを特徴とするスイッチギヤ。
【請求項８】
請求項７に記載のスイッチギヤにおいて、
前記受配電用スイッチギヤ用モールドスイッチにおける一方のブッシングは、前記母線とは異なる他の母線を介して前記母線区分用スイッチギヤのモールドスイッチのそれぞれのブッシングに、前記受配電用スイッチギヤ用モールドスイッチにおける一方のブッシングは、前記母線とは異なる更に他の母線を介して前記母線区分用スイッチギヤのモールドスイッチのそれぞれのブッシングに接続されていることを特徴とするスイッチギヤ。
【請求項９】
請求項５に記載のスイッチギヤにおいて、
前記母線区分用スイッチギヤは、該母線区分用スイッチギヤのモールドスイッチのそれぞれの長手方向が列盤方向と垂直な方向となるように、又は前記母線区分用スイッチギヤのモールドスイッチのそれぞれが備えたブッシンが列盤方向と垂直な方向となるように配置されていることを特徴とするスイッチギヤ。
【請求項１０】
請求項９に記載のスイッチギヤにおいて、
前記受配電用スイッチギヤは、前記母線区分用スイッチギヤのモールドスイッチと外形が同一形状を成す３つの受配電用スイッチギヤ用モールドスイッチから成ると共に、各受配電用スイッチギヤ用モールドスイッチは、その長手方向が列盤方向と垂直な方向であり、かつ、前記受配電用スイッチギヤ用モールドスイッチが列盤方向に配置されていることを特徴とするスイッチギヤ。
【請求項１１】
請求項１０に記載のスイッチギヤにおいて、
前記受配電用スイッチギヤ用モールドスイッチは、それぞれ２つのブッシングを備え、前記母線区分用スイッチギヤの一方のモールドスイッチのブッシングと一方の受配電用スイッチギヤ用モールドスイッチの前記ブッシングが母線を介して接続され、一方、前記母線区分用スイッチギヤの他方のモールドスイッチのブッシングと他方の受配電用スイッチギヤ用モールドスイッチの前記ブッシングが他の母線を介して接続されていることを特徴とするスイッチギヤ。
【請求項１２】
請求項５に記載のスイッチギヤにおいて、
前記母線区分用スイッチギヤは、該母線区分用スイッチギヤのモールドスイッチを４つと、該モールドスイッチと同一形状を成す２つのモールドスイッチとを備え、前記４つの母線区分用スイッチギヤのモールドスイッチと列盤方向に隣接するように、前記４つの母線区分用スイッチギヤのモールドスイッチと同一形状を成す３つの受配電用スイッチギヤ用モールドスイッチが、列盤方向に配置されていることを特徴とするスイッチギヤ。
【請求項１３】
請求項１２に記載のスイッチギヤにおいて、
前記３つの受配電用スイッチギヤ用モールドスイッチには、それぞれ２つのブッシングを備え、かつ、前記２つのモールドスイッチはそれぞれ２つのブッシングを備え、これら２つのモールドスイッチのそれぞれ２つのブッシングブッシングは、互いに異なる方向に配置されていると共に、前記４つのモールドスイッチのそれぞれに備えられているブッシングはいずれも上方に、前記３つの受配電用スイッチギヤ用モールドスイッチのブッシングの一方は列盤方向と垂直な方向の手前側に、他方のブッシングは上方側に配置されていることを特徴とするスイッチギヤ。
【請求項１４】
請求項５に記載のスイッチギヤにおいて、
前記母線区分用スイッチギヤは、該母線区分用スイッチギヤのモールドスイッチを６つ備え、そのうちの１つの前記モールドスイッチにおけるブッシングと、他のモールドスイッチにおけるブッシングは、前記母線により電気的に連結され、前記モールドスイッチにそれぞれ備えられた２つのブッシングは、前記モールドスイッチに対して上方側に設置されていると共に、前記母線により連結された２つのモールドスイッチからなるモールドスイッチ対は、他のモールドスイッチからなるモールドスイッチ対に対して列盤方向に配置されることを特徴とするスイッチギヤ。
【請求項１５】
請求項１４に記載のスイッチギヤにおいて、
前記母線区分用スイッチギヤに隣接するように配置された前記受配電用スイッチギヤのそれぞれは、前記モールドスイッチと外形が同一形状を成す３つのモールドスイッチを備え、一方の前記モールドスイッチにおける一方のブッシングは一方の母線を介して、他方の前記モールドスイッチにおける他方のブッシングは他方の母線を介して前記母線区分用スイッチギヤにおけるモールドスイッチ対の前記母線と接続されていないブッシングに接続されていることを特徴とするスイッチギヤ。
【発明の詳細な説明】
【技術分野】
【０００１】
本発明は母線区分用スイッチギヤ及びそれを備えたスイッチギヤに係り、特に、遮断器、断路器、接地開閉器及び互いを連結する連結部材を固体絶縁方式によってモジュール化したものに好適な母線区分用スイッチギヤ及びそれを備えたスイッチギヤに関する。
【背景技術】
【０００２】
近年、高い信頼性と省スペース化を実現する受配電盤として、ガス絶縁や固体絶縁を利用したスイッチギヤが注目されている。
【０００３】
一般的な受配電用スイッチギヤは、遮断器、断路器、接地開閉器、種々の計測装置及び計測装置と連動した保護装置等により構成されている。これらの機器で構成される受配電用スイッチギヤは、母線により連結されており、必要に応じて母線の連結を切り離すための母線区分用スイッチギヤが途中に配置されている。
【０００４】
上述した母線区分用スイッチギヤが特許文献１に記載されている。特許文献１には、１つの遮断器兼断路器、２つの接地開閉器及びそれらを連結する導体をエポキシ樹脂により一体化したモールドスイッチを用いた母線区分用スイッチギヤが開示されており、３相分の回路に対して、３相分の回路それぞれに１つのモールドスイッチが対応している。
【先行技術文献】
【特許文献】
【０００５】
【特許文献１】特開２０１１−６１８９９号公報
【発明の概要】
【発明が解決しようとする課題】
【０００６】
一般的な受配電用スイッチギヤは、遮断器、断路器及び接地開閉器をそれぞれ１つずつ備えた回路を３相分備えている。
【０００７】
一方、特許文献１に記載されているような母線区分用スイッチギヤは、遮断器及び断路器をそれぞれ１つと、接地開閉器を２つ備えた回路が３相分必要であるため、一般的な受配電用スイッチギヤで使用されるモールドスイッチとは異なるモールドスイッチを新たに設計する必要がある。つまり、一般的な受配電用スイッチギヤで使用されるモールドスイッチを、そのまま母線区分用スイッチギヤのモールドスイッチには適用できず、断路器、接地開閉器を追加する必要があるため、新たに設計する必要がある。
【０００８】
このモールドスイッチの設計には、エポキシ樹脂の注型条件も含まれるため、開発期間の延長が必要となる。一方で、母線区分用スイッチギヤは、一般的な受配電用スイッチギヤよりも需要が少ないため、開発費用や樹脂注型用の金型といった初期投資費用を回収するためには、コストアップとならざるを得ない。
【０００９】
本発明は上述の点に鑑みなされたもので、その目的とするところは、開発期間の延長を必要とすることなく、コストアップにつながらない母線区分用スイッチギヤ及びそれを備えたスイッチギヤを提供することにある。
【課題を解決するための手段】
【００１０】
本発明の母線区分用スイッチギヤは、上記目的を達成するために、複数の受配電用スイッチギヤが母線を介して連結され、前記母線の電気的な連結を切り離すために設置されている母線区分用スイッチギヤであって、前記母線区分用スイッチギは、ブッシングを複数有すると共に、遮断器、断路器、接地開閉器及びそれらを連結する導体を備えてモールドされ、かつ、外形が同一形状を成す複数の第１のモールドスイッチと、該第１のモールドスイッチと隣接配置され、ブッシングを複数有すると共に、接地開閉器と導体を備えてモールドされ、かつ、外形が同一形状を成す複数の第２のモールドスイッチと、前記第１のモールドスイッチのブッシングと該第１のモールドスイッチのブッシングとは配置位置が異なる前記第２のモールドスイッチのブッシングを連結する母線と、を備えていることを特徴とする。
【００１１】
また、本発明のスイッチギヤは、上記目的を達成するために、母線を介して連結されている複数の受配電用スイッチギヤの途中に、前記母線の電気的な連結を切り離す母線区分用スイッチギヤが設置されている列盤構成のスイッチギヤであって、前記母線区分用スイッチギヤは、上記構成の母線区分用スイッチギヤであることを特徴とする。
【発明の効果】
【００１２】
本発明によれば、一般的な受配電用のスイッチギヤで使用されるモールドスイッチを用いて母線区分用のスイッチギヤを構成することができるので、開発期間を延長する必要がなくなり、コストアップにつながることはない。
【図面の簡単な説明】
【００１３】
【図１】本発明の母線区分用スイッチギヤの実施例１を示す斜視図である。
【図２】本発明の母線区分用スイッチギヤの実施例１の概略構成を示す断面図である。
【図３】本発明の母線区分用スイッチギヤの実施例１を、受配電用スイッチギヤに配置して構成するスイッチギヤの列盤群の一部を示す斜視図である。
【図４】本発明の母線区分用スイッチギヤの実施例２を、受配電用スイッチギヤに配置して構成するスイッチギヤの列盤群の一部を示す斜視図である。
【図５】本発明の母線区分用スイッチギヤの実施例３を、受配電用スイッチギヤに配置して構成するスイッチギヤの列盤群の一部を示す斜視図である。
【図６】本発明の母線区分用スイッチギヤの実施例４を、受配電用スイッチギヤに配置して構成するスイッチギヤの列盤群の一部を示す斜視図である。
【発明を実施するための形態】
【００１４】
以下、図示した実施例に基づいて本発明の母線区分用スイッチギヤについて説明する。なお、各実施例において、同一構成部品には同符号を使用する。
【実施例１】
【００１５】
図１及び図２に、本発明の母線区分用スイッチギヤに実施例１を示し、図３に、一般的な受配電用スイッチギヤに、本実施例の母線区分用スイッチギヤを配置して構成するスイッチギヤの列盤群の一部を示す。
【００１６】
該図に示す本実施例では、受配電用スイッチギヤと母線区分用スイッチギヤからなるスイッチギヤの列盤群において、必要に応じて列盤同士を連結する母線の電気的な接続を切り離すための母線区分用スイッチギヤについて説明する。
【００１７】
図１に示す如く、本実施例の母線区分用スイッチギヤ１は、その内部には、外形が等しい（同一形状を成す）６つのモールドスイッチ２Ａ、２Ｂ、２Ｃ、２Ｄ、２Ｅ及び２Ｆが、その長手方向が列盤方向（矢印Ｐ方向）となるように配置され、このモールドスイッチ２Ａ、２Ｂ、２Ｃ、２Ｄ、２Ｅ及び２Ｆには、それぞれ２つのブッシング３ａ及び３ｂが備えられている。モールドスイッチ２Ａ、２Ｂ、２Ｃ、２Ｄ、２Ｅ及び２Ｆに備えられた２つのそれぞれのブッシング３ａ及び３ｂは列盤方向に平行に配置され、かつ、モールドスイッチ２Ａ、２Ｂ、２Ｃ、２Ｄ、２Ｅ及び２Ｆに備えられたブッシング３ａ及び３ｂは、列盤方向と垂直な方向（矢印Ｑ方向）となるように配置されている。
【００１８】
また、１つのモールドスイッチ２Ａにおけるブッシング３ｂと、他のモールドスイッチ２Ｂにおけるブッシング３ａは、母線４により電気的に連結されている。これ以外のモールドスイッチ２Ｃにおけるブッシング３ｂとモールドスイッチ２Ｄにおけるブッシング３ａ、モールドスイッチ２Ｅにおけるブッシング３ｂとモールドスイッチ２Ｆにおけるブッシング３ａも同様である。
【００１９】
母線４により連結されたモールドスイッチ２Ａ、２Ｂ、２Ｃ、２Ｄ、２Ｅ及び２Ｆのうちの一方のモールドスイッチ２Ａ、２Ｃ、２Ｅは、図２に示す如く、遮断器６、接地開閉器付断路器７ａ及びそれらを連結する導体８ａを備え、他方のモールドスイッチ２Ｂ、２Ｄ、２Ｆは、図２に示す如く、接地開閉器付断路器７ｂ及び導体８ｂを備えて構成されている。
【００２０】
なお、遮断器及び断路器は、モールドスイッチ２Ａと２Ｂ、モールドスイッチ２Ｃと２Ｄ、モールドスイッチ２Ｅと２Ｆのいずれか一方の１つ備えていれば良く、接地開閉器は、モールドスイッチ２Ａと２Ｂ、モールドスイッチ２Ｃと２Ｄ、モールドスイッチ２Ｅと２Ｆのそれぞれに１つ備えていれば良い。
【００２１】
一方のモールドスイッチ２Ａ、２Ｃ、２Ｅは、遮断器６、接地開閉器付断路器７ａ及びそれらを連結する導体８ａが樹脂により一体注型され、他方のモールドスイッチ２Ｂ、２Ｄ、２Ｆは、接地開閉器付断路器７ｂ及び導体８ｂが樹脂により一体注型されており、モールドスイッチ２Ａと２Ｂ、モールドスイッチ２Ｃと２Ｄ、モールドスイッチ２Ｅと２Ｆは、それぞれのブッシング３ｂ及び３ａを介して、母線４により電気的に接続されている。
【００２２】
また、モールドスイッチ２Ａ、２Ｂ、２Ｃ、２Ｄ、２Ｅ及び２Ｆには、遮断器６、接地開閉器付断路器７ａ、７ｂを機械的に駆動するための操作機構（図示せず）が接続されている。
【００２３】
そして、母線４により連結されたモールドスイッチ２Ａと２Ｂ、モールドスイッチ２Ｃと２Ｄ、モールドスイッチ２Ｅと２Ｆは、それぞれ列盤方向（図１の矢印Ｐ方向）に隣り合うように配置されている。同様に母線４により連結された２つのモールドスイッチ２Ａと２Ｂの対、モールドスイッチ２Ｃと２Ｄの対、モールドスイッチ２Ｅと２Ｆの対は、列盤方向と垂直な方向（図１の矢印Ｑ方向）となるように配置されている。
【００２４】
次に、一般的な受配電用スイッチギヤに、本実施例の母線区分用スイッチギヤ１を配置して構成するスイッチギヤの列盤群の一部を、図３に示す。
【００２５】
該図に示す如く、図１及び図２を用いて説明した本実施例の母線区分用スイッチギヤ１に、受配電用スイッチギヤ５Ａ及び５Ｂが列盤方向（矢印Ｐ方向）に隣接するように配置されてスイッチギヤを構成している。
【００２６】
この受配電用スイッチギヤ５Ａ及び５Ｂは、上述した母線区分用スイッチギヤ１のモールドスイッチ２Ａ、２Ｂ、２Ｃ、２Ｄ、２Ｅ及び２Ｆと外形が等しい（同一形状を成す）３つの受配電用スイッチギヤ用モールドスイッチ２１Ａ、２２Ａ、２３Ａ及び２１Ｂ、２２Ｂ、２３Ｂから成ると共に、各受配電用スイッチギヤ用モールドスイッチ２１Ａ、２２Ａ、２３Ａ及び２１Ｂ、２２Ｂ、２３Ｂは、その長手方向が列盤方向（矢印Ｐ方向）と垂直な方向（矢印Ｑ方向）であり、この受配電用スイッチギヤ用モールドスイッチ２１Ａ、２２Ａ、２３Ａ及び２１Ｂ、２２Ｂ、２３Ｂが、列盤方向に配置されている。この受配電用スイッチギヤ用モールドスイッチ２１Ａ、２２Ａ、２３Ａ及び２１Ｂ、２２Ｂ、２３Ｂには、それぞれ２つのブッシング３ｃ、３ｄ及び３ｅ、３ｆを備えている。
【００２７】
また、受配電用スイッチギヤ用モールドスイッチ２１Ａ、２２Ａ、２３Ａ及び２１Ｂ、２２Ｂ、２３Ｂにおける２つのブッシング３ｃ、３ｄ及び３ｅ、３ｆのうちの一方のブッシング３ｄと３ｆは、母線区分用スイッチギヤ１のモールドスイッチ２Ａ、２Ｂ、２Ｃ、２Ｄ、２Ｅ及び２Ｆと同一の方向（例えば、図３の上方向）に配置され、受配電用スイッチギヤ用モールドスイッチ２１Ａ、２２Ａ、２３Ａ及び２１Ｂ、２２Ｂ、２３Ｂにおける２つのブッシング３ｃ、３ｄ及び３ｅ、３ｆのうちの他方のブッシング３ｃと３ｅは、一方のブッシング３ｄと３ｆと異なる方向（例えば、図３のＱ方向）となるように配置されている。
【００２８】
また、受配電用スイッチギヤ用モールドスイッチ２１Ａ、２２Ａ、２３Ａにおける一方のブッシング３ｄは、母線４１Ａ、４２Ａ、４３Ａを介して母線区分用スイッチギヤ１のモールドスイッチ２Ａのそれぞれのブッシング３ａ、即ち、母線４と接続されていないブッシング３ａに、受配電用スイッチギヤ用モールドスイッチ２１Ｂ、２２Ｂ、２３Ｂにおける一方のブッシング３ｆは、母線４１Ｂ、４２Ｂ、４３Ｂを介して母線区分用スイッチギヤ１のモールドスイッチ２Ｂのそれぞれのブッシング３ｂ、即ち、母線４と接続されていないブッシング３ｂに接続されている。
【００２９】
更に、受配電用スイッチギヤ用モールドスイッチ２１Ａ、２２Ａ、２３Ａ及び２１Ｂ、２２Ｂ、２３Ｂは、それぞれ列盤方向（矢印Ｐ方向）に配置され、母線区分用スイッチギヤ１と反対方向に配置される図示されない他の受配電用スイッチギヤと接続される。
【００３０】
このような本実施例の構成とすることにより、一般的な受配電用のスイッチギヤで使用されるモールドスイッチを用いて、母線区分用のスイッチギヤを構成することができるので、開発期間を延長する必要がなくなり、コストアップにつながることはない。
【実施例２】
【００３１】
図４に、母線区分用スイッチギヤの実施例２を配置して構成するスイッチギヤの列盤群の一部を示す。
【００３２】
該図に示す本実施例では、本実施例の母線区分用スイッチギヤ１１に、受配電用スイッチギヤ５Ａ及び５Ｂが列盤方向（矢印Ｐ方向）に隣接するように配置されてスイッチギヤを構成している。
【００３３】
本実施例の母線区分用スイッチギヤ１１は、実施例１に示した母線区分用スイッチギヤ１のモールドスイッチ２Ａ、２Ｂ、２Ｃ、２Ｄ、２Ｅ及び２Ｆのそれぞれの長手方向が、列盤方向（矢印Ｐ方向）と垂直な方向（矢印Ｑ方向）となるように、見方を変えると、母線区分用スイッチギヤ１１のモールドスイッチ２Ａ、２Ｂ、２Ｃ、２Ｄ、２Ｅ及び２Ｆのそれぞれが備えたブッシング３ａ及び３ｂが、列盤方向と垂直な方向となるように配置された構成としたものである。
【００３４】
また、１つのモールドスイッチ２Ａにおけるブッシング３ｂと、他のモールドスイッチ２Ｂにおけるブッシング３ａは、母線４４により電気的に連結されている。これ以外のモールドスイッチ２Ｃにおけるブッシング３ｂとモールドスイッチ２Ｄにおけるブッシング３ａ、モールドスイッチ２Ｅにおけるブッシング３ｂとモールドスイッチ２Ｆにおけるブッシング３ａも同様である。
【００３５】
本実施例の母線区分用スイッチギヤ１１に隣接するように配置された受配電用スイッチギヤ５Ａ及び５Ｂは、上述した母線区分用スイッチギヤ１１のモールドスイッチ２Ａ、２Ｂ、２Ｃ、２Ｄ、２Ｅ及び２Ｆと外形が等しい（同一形状を成す）３つの受配電用スイッチギヤ用モールドスイッチ２１Ａ、２２Ａ、２３Ａ及び２１Ｂ、２２Ｂ、２３Ｂから成ると共に、各受配電用スイッチギヤ用モールドスイッチ２１Ａ、２２Ａ、２３Ａ及び２１Ｂ、２２Ｂ、２３Ｂは、その長手方向が列盤方向（矢印Ｐ方向）と垂直な方向（矢印Ｑ方向）であり、この受配電用スイッチギヤ用モールドスイッチ２１Ａ、２２Ａ、２３Ａ及び２１Ｂ、２２Ｂ、２３Ｂが、列盤方向に配置されている。
【００３６】
この受配電用スイッチギヤ用モールドスイッチ２１Ａ、２２Ａ、２３Ａ及び２１Ｂ、２２Ｂ、２３Ｂは、それぞれ２つのブッシング３ｃ、３ｄ及び３ｅ、３ｆを備えている。
【００３７】
そして、母線区分用スイッチギヤ１１のモールドスイッチ２Ａのブッシング３ａと受配電用スイッチギヤ用モールドスイッチ２１Ａのブッシング３ｄが母線４５Ａを介して、母線区分用スイッチギヤ１１のモールドスイッチ２Ｃのブッシング３ａと受配電用スイッチギヤ用モールドスイッチ２２Ａのブッシング３ｄが母線４６Ａを介して、母線区分用スイッチギヤ１１のモールドスイッチ２Ｅのブッシング３ａと受配電用スイッチギヤ用モールドスイッチ２３Ａのブッシング３ｄが母線４７Ａを介して接続され、一方、母線区分用スイッチギヤ１１のモールドスイッチ２Ｂのブッシング３ｂと受配電用スイッチギヤ用モールドスイッチ２１Ｂのブッシング３ｆが母線４５Ｂを介して、母線区分用スイッチギヤ１１のモールドスイッチ２Ｄのブッシング３ｂと受配電用スイッチギヤ用モールドスイッチ２２Ｂのブッシング３ｆが母線４６Ｂを介して、母線区分用スイッチギヤ１１のモールドスイッチ２Ｆのブッシング３ｂと受配電用スイッチギヤ用モールドスイッチ２３Ｂのブッシング３ｆが母線４７Ｂを介して接続されている。
【００３８】
このような本実施例の構成であっても実施例１と同様な効果が得られることは勿論、母線区分用スイッチギヤ１１の列盤方向（矢印Ｐ方向）の幅を狭くすることができる。
【実施例３】
【００３９】
図５に、母線区分用スイッチギヤの実施例３を配置して構成するスイッチギヤの列盤群の一部を示す。
【００４０】
該図に示す本実施例では、本実施例の母線区分用スイッチギヤ１２に、受配電用スイッチギヤ５Ａ及び５Ｂが列盤方向（矢印Ｐ方向）に隣接するように配置されてスイッチギヤを構成している。
【００４１】
本実施例の母線区分用スイッチギヤ１２は、実施例１に示した母線区分用スイッチギヤ１のモールドスイッチを４つ（２Ａ、２Ｂ、２Ｃ、２Ｄ）備え、モールドスイッチ２Ａ、２Ｂ、２Ｃ、２Ｄと外形が等しい（同一形状を成す）２つのモールドスイッチ２４Ａ及び２４Ｂを備えている。
【００４２】
この母線区分用スイッチギヤ１２のモールドスイッチ２Ａ、２Ｂ、２Ｃ及び２Ｄと列盤方向（矢印Ｐ方向）に隣接するように、母線区分用スイッチギヤ１２のモールドスイッチ２Ａ、２Ｂ、２Ｃ及び２Ｄと外形が等しい（同一形状を成す）３つの受配電用スイッチギヤ用モールドスイッチ２１Ａ、２２Ａ、２３Ａ及び２１Ｂ、２２Ｂ、２３Ｂが、列盤方向に配置されている。この受配電用スイッチギヤ用モールドスイッチ２１Ａ、２２Ａ、２３Ａ及び２１Ｂ、２２Ｂ、２３Ｂには、それぞれ２つのブッシング３ｃ、３ｄ及び３ｅ、３ｆを備えている。
【００４３】
また、モールドスイッチ２４Ａ及び２４Ｂは、それぞれ２つのブッシング３ｇ、３ｈ及び３ｉ、３ｊを備え、これらブッシング３ｇ、３ｈ及び３ｉ、３ｊは、互いに異なる方向（ブッシング３ｇと３ｉは列盤方向（矢印Ｐ方向）と垂直な方向（矢印Ｑ方向）のモールドスイッチ２４Ａ、２４Ｂの手前側、ブッシング３ｈと３ｊはモールドスイッチ２４Ａ、２４Ｂの上方側）に配置されている。また、４つのモールドスイッチ２Ａ、２Ｂ、２Ｃ、２Ｄのそれぞれに備えられているブッシング３ａ及び３ｂはいずれも上方に、受配電用スイッチギヤ用モールドスイッチ２１Ａ、２２Ａ、２３Ａ及び２１Ｂ、２２Ｂ、２３Ｂのブッシング３ｃと３ｅは列盤方向（矢印Ｐ方向）と垂直な方向（矢印Ｑ方向）の手前側に、ブッシング３ｄと３ｆは、上方側に配置されている。
【００４４】
そして、モールスイッチ２Ａと２Ｂにおけるブッシング３ｂと３ａは母線４８を介して、モールドスイッチ２Ｃと２Ｄにおけるブッシング３ａと３ｂは、母線４９を介してそれぞれ電気的に連結されている。また、モールドスイッチ２４Ａにおけるブッシング３ｇとモールドスイッチ２４Ｂにおけるブッシング３ｉは、母線５０を介して電気的に連結されている。
【００４５】
上述した母線４８、４９、５０により電気的に連結されたモールドスイッチ２Ａ、２Ｂ、２Ｃ、２Ｄ又は２４Ａ、２４Ｂのうちの一方は、図示されない遮断器、断路器、接地開閉器及びそれらを連結する導体を備え、他のモールドスイッチ２Ａ、２Ｂ、２Ｃ、２Ｄ又は２４Ａ、２４Ｂは、断路器、接地開閉器及びそれらを連結する導体を備えている。また、遮断器、断路器、接地開閉器及びそれらを連結する導体は、樹脂により一体注型され、ブッシング３ａ、３ｂ又は３ｈ、３ｊを介して他の部品と電気的に接続されている。
【００４６】
また、２Ａ、２Ｂ、２Ｃ、２Ｄ及び２４Ａ、２４Ｂには、遮断器、断路器、接地開閉器を機械的に駆動するための操作機構（図示せず）が接続されている。
【００４７】
更に、母線４８、４９、５０により連結されたモールドスイッチ２Ａ、２Ｂ、２Ｃ、２Ｄ又は２４Ａ、２４Ｂからなるモールドスイッチ対は、他のモールドスイッチ対に対して列盤方向（矢印Ｐ方向）に配置されている。
【００４８】
また、母線区分用スイッチギヤ１２に隣接するように配置された受配電用スイッチギヤ５Ａ及び５Ｂのそれぞれは、モールドスイッチ２Ａ、２Ｂ、２Ｃ、２Ｄと外形が等しい３つのモールドスイッチ２１Ａ、２２Ａ、２３Ａ及び２１Ｂ、２２Ｂ、２３Ｂを備え、このモールドスイッチ２１Ａ、２２Ａ、２３Ａ及び２１Ｂ、２２Ｂ、２３Ｂにおける一方のブッシング３ｄ、３ｆは、母線５１、５２、５３、５４を介して、母線区分用スイッチギヤ１２におけるモールドスイッチ対の母線４８、４９、５０と接続されていないブッシング３ａ、３ｂに接続されている。
【００４９】
このような本実施例の構成であっても実施例１と同様な効果が得られることは勿論、受配電用スイッチギヤと同一の操作機構を採用することができる。
【実施例４】
【００５０】
図６に、母線区分用スイッチギヤの実施例４を配置して構成するスイッチギヤの列盤群の一部を示す。
【００５１】
該図に示す本実施例では、母線区分スイッチギヤ１３は、実施例１に示した母線区分用スイッチギヤ１のモールドスイッチを６つ（２Ａ、２Ｂ、２Ｃ、２Ｄ、２Ｅ、２Ｆ）備えている
１つのモールスイッチ２Ａ、２Ｂ、２Ｃにおけるブッシング３ａ、３ｂと、他のモールドスイッチ２Ｄ、２Ｅ、２Ｆにおけるブッシング３ａ、３ｂは、母線４により電気的に連結されている。モールドスイッチ２Ａ、２Ｂ、２Ｃ、２Ｄ、２Ｅ、２Ｆにそれぞれ備えられた２つのブッシング３ａ、３ｂは、モールドスイッチ２Ａ、２Ｂ、２Ｃ、２Ｄ、２Ｅ、２Ｆに対して、上方側に設置されている。
【００５２】
また、母線４により連結された２つのモールドスイッチ２Ａと２Ｄからなるモールドスイッチ対は、他のモールドスイッチ２Ｂと２Ｅ、２Ｃと２Ｆからなるモールドスイッチ対と共に列盤方向（矢印Ｐ方向）に配置されている。
【００５３】
本実施例の母線区分用スイッチギヤ１３に隣接するように配置された受配電用スイッチギヤ５Ａは及び５Ｂのそれぞれは、モールドスイッチ２Ａ、２Ｂ、２Ｃ、２Ｄ、２Ｅ、２Ｆと外形が等しい（同一形状を成す）３つのモールドスイッチ２１Ａ、２２Ａ、２３Ａ及び２１Ｂ、２２Ｂ、２３Ｂを備え、モールドスイッチ２１Ａ、２２Ａ、２３Ａにおける一方のブッシング３ｄは、母線５５Ａ、５６Ａ、５７Ａを介して、モールドスイッチ２１Ｂ、２２Ｂ、２３Ｂにおける一方のブッシング３ｆは、母線５５Ｂ、５６Ｂ、５７Ｂを介して母線区分用スイッチギヤ１３におけるモールドスイッチ対の母線４と接続されていないブッシング３ａ、３ｂに接続されている。
【００５４】
このような本実施例の構成であっても実施例１と同様な効果が得られることは勿論、受配電用スイッチギヤと同一の操作機構を採用することができる。
【００５５】
なお、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成を置き換えることが可能であり、また、ある実施例の構成に他の実施例の構成を加えることも可能である。また、各実施例の構成の一部について、他の構成の追加・削除・置換をすることが可能である。
【符号の説明】
【００５６】
１、１１、１２、１３…母線区分用スイッチギヤ、２Ａ、２Ｂ、２Ｃ、２Ｄ、２Ｅ、２Ｆ、２４Ａ，２４Ｂ…モールドスイッチ、３ａ、３ｂ、３ｃ、３ｄ、３ｅ、３ｆ、３ｇ、３ｈ、３ｉ、３ｊ…ブッシング、４、４１Ａ、４２Ａ、４３Ａ、４１Ｂ、４２Ｂ、４３Ｂ、４４、４５Ａ、４６Ａ、４７Ａ、４５Ｂ、４６Ｂ、４７Ｂ、４８、４９、５０、５１、５２、５３、５４、５５Ａ、５６Ａ、５７Ａ、５５Ｂ、５６Ｂ、５７Ｂ…母線、５Ａ、５Ｂ…受配電用スイッチギヤ、６…遮断器、７ａ、７ｂ…接地用開閉器付断路器、８ａ、８ｂ…導体、２１Ａ、２２Ａ，２３Ａ、２１Ｂ、２２Ｂ、２３Ｂ…受配電用スイッチギヤ用モールドスイッチ。
【図１】
2017192188.tif 000003
【図２】
2017192188.tif 000004
【図３】
2017192188.tif 000005
【図４】
2017192188.tif 000006
【図５】
2017192188.tif 000007
【図６】
2017192188.tif 000008